【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行される基地局とのワイヤレス通信の方法であって、
前記基地局から、第１のサブフレーム中で、サブフレームのセットについてのマルチサブフレームスケジューリング情報を受信することと、
前記マルチサブフレームスケジューリング情報に基づいてサブフレームの前記セットのうちの１つまたは複数のサブフレームについての特性の差異を決定することと、
前記基地局によって与えられる調整をどのように行うかに関する特定のルールに基づいて、前記決定に応答して、前記１つまたは複数のサブフレーム中の通信についての１つまたは複数の性質を調整することと
を備える、方法。
【請求項２】
特性の前記差異を決定することは、サブフレームの前記セットのうちのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの１つとの衝突条件、
前記第１のサブフレームのサブフレームタイプとは異なるサブフレームタイプ、前記サブフレームタイプが、マルチキャストブロードキャスト単一周波数ネットワーク（ＭＢＳＦＮ）ダウンリンクサブフレーム、非ＭＢＳＦＮサブフレーム、特殊サブフレーム、またはオールモストブランクサブフレームのうちの１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定することを備える、請求項１に記載の方法。
【請求項３】
前記１つまたは複数のサブフレーム中の通信についての１つまたは複数の性質を調整することは、
前記第１のサブフレームのトランスポートブロックサイズ（ＴＢＳ）に対する前記１つまたは複数のサブフレームのトランスポートブロックサイズ、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整することを備える、請求項１に記載の方法。
【請求項４】
前記決定することは、第２のサブフレームが、前記第１のサブフレームとは送信のための異なる数の利用可能なリソース要素（ＲＥ）を有すると決定することを備え、
前記調整することは、前記第２のサブフレームの利用可能なＲＥの前記数に少なくとも部分的に基づいて前記第２のサブフレームのトランスポートブロックサイズ（ＴＢＳ）を調整することを備える、請求項１に記載の方法。
【請求項５】
前記決定することは、第２のサブフレームのための利用可能なリソースブロック（ＲＢ）の数が、前記第１のサブフレームのための利用可能なＲＢの数とは異なると決定することを備え、
前記調整することは、前記第２のサブフレームに関連するリソース割振りを調整することを備える、請求項１に記載の方法。
【請求項６】
前記決定することは、第２のサブフレームが、半永続的にスケジュールされた送信を有すると決定することを備え、
前記調整することは、前記第２のサブフレームについての前記マルチサブフレームスケジューリング情報に関連するリソースのスケジューリングをスキップすることを備える、請求項１に記載の方法。
【請求項７】
基地局とのワイヤレス通信のためのユーザ機器装置であって、
前記基地局から、第１のサブフレーム中で、サブフレームのセットについてのマルチサブフレームスケジューリング情報を受信するための手段と、
前記マルチサブフレームスケジューリング情報に基づいてサブフレームの前記セットのうちの１つまたは複数についての特性の差異を決定するための手段と、
前記基地局によって与えられる調整をどのように行うかに関する特定のルールに基づいて、前記決定に応答して、前記１つまたは複数のサブフレーム中の通信についての１つまたは複数の性質を調整するための手段と
を備える、装置。
【請求項８】
特性の前記差異を決定するための前記手段は、サブフレームの前記セットのうちの少なくとも１つのサブフレームが、
前記第１のサブフレームとは異なる利用可能なリソースブロック（ＲＢ）、
１次同期信号、２次同期信号、１次ブロードキャストチャネル、共通基準信号、測位基準信号、またはチャネル状態情報基準信号のうちの少なくとも１つとの衝突条件、
前記第１のサブフレームのサブフレームタイプとは異なるサブフレームタイプ、サブフレームの前記タイプが、マルチキャストブロードキャスト単一周波数ネットワーク（ＭＢＮＳＦ）ダウンリンクサブフレーム、非ＭＢＳＦＮサブフレーム、特殊サブフレーム、またはオールモストブランクサブフレームのうちの少なくとも１つを備える、
物理ダウンリンク共有チャネル（ＰＤＳＣＨ）または物理アップリンク共有チャネル（ＰＵＳＣＨ）送信を可能にしないタイプ指示、あるいは
半永続的スケジューリング（ＳＰＳ）割当て
のうちの１つまたは複数を有すると決定するための手段を備える、請求項７に記載の装置。
【請求項９】
前記１つまたは複数のサブフレーム中の通信についての１つまたは複数の性質を調整するための前記手段は、
前記第１のサブフレームのトランスポートサイズに対する前記１つまたは複数のサブフレームのトランスポートブロックサイズ（ＴＢＳ）、
前記第１のサブフレームの変調およびコーディング方式（ＭＣＳ）に対する前記１つまたは複数のサブフレームのＭＣＳ、
前記第１のサブフレームのランクに対する前記１つまたは複数のサブフレームのランク、
パンクチャド復調基準信号（ＤＭ−ＲＳ）パターンに基づく送信リソース、あるいは
前記１つまたは複数のサブフレームのリソースのスケジューリングをスキップするようなリソースのスケジューリング
のうちの１つまたは複数を調整するための手段を備える、請求項７に記載の装置。
【請求項１０】
決定するための前記手段は、第２のサブフレームが、前記第１のサブフレームとは送信のための異なる数の利用可能なリソース要素（ＲＥ）を有すると決定するための手段を備え、
調整するための前記手段は、前記第２のサブフレームの利用可能なＲＥの前記数に少なくとも部分的に基づいて前記第２のサブフレームのトランスポートブロックサイズ（ＴＢＳ）を調整するための手段を備える、請求項７に記載の装置。
【請求項１１】
決定するための前記手段は、第２のサブフレームのための利用可能なリソースブロック（ＲＢ）の数が前記第１のサブフレームのための利用可能なＲＢの前記数とは異なると決定するための手段を備え、
調整するための前記手段は、前記第２のサブフレームに関連するリソース割振りを調整するための手段を備える、請求項７に記載の装置。
【請求項１２】
決定するための前記手段は、第２のサブフレームが、半永続的にスケジュールされた送信を有すると決定するための手段を備え、
調整するための前記手段は、前記第２のサブフレームについての前記マルチサブフレームスケジューリング情報に関連するリソースのスケジューリングをスキップするための手段を備える、請求項７に記載の装置。
【請求項１３】
マルチサブフレームスケジューリング割当てに関連するサブフレームのセットのうちの１つまたは複数のサブフレームについての特性の差異を決定することと、
前記差異に基づいてサブフレームの前記セットについてのマルチサブフレームスケジューリング情報を調整することと、
前記マルチサブフレームスケジューリング情報をユーザ機器（ＵＥ）に送信することと、
リソース割振り調整のための特定のルールを前記ＵＥに与えることと
を備える、ＵＥと通信している基地局によって実行されるワイヤレス通信の方法。
【請求項１４】
マルチサブフレームスケジューリング割当てに関連するサブフレームのセットのうちの１つまたは複数のサブフレームについての特性の差異を決定するための手段と、
前記差異に基づいてサブフレームの前記セットについてのマルチサブフレームスケジューリング情報を調整するための手段と、
前記マルチサブフレームスケジューリング情報をユーザ機器（ＵＥ）に送信するための手段と、
リソース割振り調整のための特定のルールを前記ＵＥに与えるための手段と
を備える、ＵＥとのワイヤレス通信のための基地局装置。
【請求項１５】
コンピュータ上で実行されるとき、請求項１〜６および１３のいずれか一項にしたがった方法を実施するための命令を備える、コンピュータプログラム。